(57)【要約】【課題】練り歯磨き、化粧品など、ペースト状内容物を収容する押出しチユーブの衛生面の向上、省資源化、さらに押出しチユーブの新たな応用を図る。【解決手段】押出しチユーブの尻部、あるいはキヤツプに、洗面台などに設けられたフツクなどの懸垂具に懸垂可能な開口部、あるいはフツクなどを設けた懸垂式押出しチユーブを提供する。懸垂式にすることで、不衛生になり易い洗面台の棚に直接置く必要が無く、またキヤツプを小型化出来るため、水滴がキヤツプ裏側に溜まる恐れが無く衛生面の向上に有効である。さらに、チユーブ自立のために必要な大型キヤツプを小型化すること、チユーブ自体の厚さを薄くすることが可能で、押出しチユーブを構成する材料を大幅に削減し省資源化が図られる。また懸垂式と言う新しい形式の押出しチユーブは、天井などからも懸垂可能になるので、寝たきり老人など高齢化時代に対応した新たな応用が期待出来る。【選択図】  図１
2004149207.tif 000002
【特許請求の範囲】
【請求項１】
練り歯磨き、化粧品など、ペースト状の内容物を収容する押出しチユーブの接合部などチユーブ尻部（２）に、懸垂可能な開口部（５）を設けた懸垂式押出しチユーブ（１）。
【請求項２】
練り歯磨き、化粧品など、ペースト状の内容物を収容する押出しチユーブの接合部などチユーブ尻部（２）に、懸垂可能なフツク（７）を設けた懸垂式押出しチューブ（１）。
【請求項３】
練り歯磨き、化粧品など、ペースト状の内容物を収容する押出しチユーブのキヤツプ（６）に懸垂可能なリング（８）を設けた懸垂式押出しチユーブ（１）。
【請求項４】
練り歯磨き、化粧品など、ペースト状の内容物を収容する押出しチユーブのキヤツプ（６）に懸垂可能なフツク（７）を設けた懸垂式押出しチユーブ（１）。
【発明の詳細な説明】
【０００１】
【発明の属する技術分野】
本発明は練り歯磨き、化粧品などペースト状の内容物を収容する押出しチユーブに関するものである。
【０００２】
【従来の技術】
従来、練り歯磨き、化粧品など、ペースト状の内容物を収容する押出しチユーブは、可▲どう▼性に富んだ金属の薄板などで作られ、キヤツプはねじ込み式で小さく、洗面台の棚などに横にして置くか、コツプなどの中に立てて置く形状のものが一般的であつた、その後、金属の薄板に変わり樹脂製のチユーブが登場し、１９８０年代半ばには、キヤツプを大きくし逆さに自立可能な倒立式のチユーブが現れ、狭い洗面台の棚などの有効活用が図られるようになつた、現在では倒立式のチユーブが圧倒的に多用されている。しかし、濡れたコツプ、跳ねた水などで濡れ、不衛生になり易い洗面台の棚にキヤツプを下にして置くことから、チユーブ口部が不衛生になり易く、また、浴室に持ち込んだ化粧品などの倒立式チユーブでは、大きくしたキヤツプの裏側に浴室の湯気で出来た水滴、シヤワーなどの跳ね水が溜まり、やはり不衛生になり易い。さらにチユーブが元の状態に戻ろうとする弾力によつてチユーブ内に空気が侵入し、内容物の変質、硬化を招き易い。加えて、倒立式チユーブは、自立させるためにキヤツプを大きくし、また、チユーブ自体も肉厚を厚くする必要がある。これらの押出しチユーブの大半は内容物を使い切るとゴミとして捨てられ、焼却処分されている。年間数億本ものチユーブが捨てられており、省資源化が叫ばれる中、押出しチユーブを構成する材料を少くなくする事が求められている。
【０００３】
【発明が解決しようとする課題】
本発明は、練り歯磨き、化粧品など、ペースト状内容物を収容する押出しチユーブの衛生面の向上、および省資源化、さらに押出しチユーブの新たな応用を図るものである。
【０００４】
【課題を解決するための手段】
従来の倒立式チユーブに代えて、押出しチユーブの接合部などの尻部、あるいはキヤツプに、洗面台、あるいは壁などに設けられたフツクなどの懸垂具に懸垂可能な開口部、あるいはフツクなどを具備した懸垂式押出しチユーブを提供する。懸垂式にすることで、洗面台や壁などにぶら下げるため、濡れたコツプ、跳ねた水などで不衛生になり易い洗面台の棚などに直接置く必要が無く、またキヤツプを小型化出来るため、浴室などでの水滴がキヤツプ裏側に溜まる恐れが無く衛生面の向上に極めて有効である。さらに、倒立式チユーブの自立のために必要な大型キヤツプを必要最小限に小型化すること、チユーブ自体の厚さを薄くすることが可能で、押出しチユーブを構成する材料を大幅に削減出来る。加えてチユーブを薄くすることで、チユーブの弾力でチユーブの内部に侵入する空気量も少なくなり、内容物の変質、硬化を抑制することが可能となる。つまり、押出しチユーブを懸垂式にする事で、衛生面の向上、さらに押出しチユーブを構成する材料の省資源化が可能である。また懸垂式と言う新しい形式の押出しチユーブは、洗面台や壁だけで無く、天井などからもぶら下げることが可能になるので、寝たきり老人など高齢化時代に対応した新たな応用が期待出来る。なお本発明で提供する懸垂式押出しチユーブを構成するチユーブ、およびキヤツプは形状、材質を問はない。
【０００５】
請求項１記載の懸垂式押出しチューブ１は、接合部などのチユーブ尻部２に洗面台や壁などに設けられたフツクなどの懸垂具に懸垂可能な開口部５を設けた押出しチユーブである。本チユーブはキヤツプを下にした逆さまの状態で懸垂される。
【０００６】
請求項２記載の懸垂式押出しチユーブ１は、接合部などのチユーブ尻部２に洗面台や壁などに設けられたフツクなどの懸垂具に懸垂可能なフツク７を設けた押出しチユーブである。本チユーブはキヤツプを下にした逆さまの状態で懸垂される。なおチユーブ尻部に設けたフツク７は懸垂可能であれば形状、材質を問はない。
【０００７】
請求項３記載の懸垂式押出しチユーブ１は、チユーブのキヤツプ６に洗面台や壁などに設けられたフツクなどの懸垂具に懸垂可能なリング８を設けた押出しチユーブである。本チユーブはキヤツプ６を上にした正立の状態で懸垂される。なおキヤツプに設けたリング８は懸垂可能であれば形状、材質を問はない。
【０００８】
請求項４記載の懸垂式押出しチユーブ１は、チユーブのキヤツプ６に洗面台や壁などに設けられたフツクなどの懸垂具に懸垂可能なフツク７を設けた押出しチユーブである。本チユーブはキヤツプ６を上にした正立の状態で懸垂される。なおキヤツプに設けたフツク７は懸垂可能であれば形状、材質を問はない。
【０００９】
【発明の実施の形態】
発明の実施の形態について図面を参照して説明する。
図１は、請求項１記載の懸垂式押出しチユーブの１例を示す図で、正面から見た図である。１は懸垂式押出しチユーブ、２は接合部などのチユーブ尻部、５は尻部に設けられた開口部で、押出しチユーブを洗面台や壁などに設けられたフツクなどの懸垂具にぶら下げる穴である。本例の押出しチユーブはキヤツプ６を下にした逆さまの状態で懸垂される。不衛生になり易い洗面台などに直接置く必要が無く、またキヤツプが小さいためキヤツプ裏側に水滴が溜まる恐れも無いため衛生面の向上が図られる。さらにチユーブを自立させる必要が無いことから、キヤツプは必要最小限に小型化でき、チユーブ自体の厚さも薄くすることが可能で、押出しチユーブを構成する材料の省資源化が可能である。なお開口部５は図１、および図２−ａ，図２−ｂに示すように懸垂可能な開口であれば形状、材質を問はない。
【００１０】
図３は、請求項２記載の懸垂式押出しチユーブの１例を示す部分図である。１は懸垂式押出しチユーブ、２は接合部などのチユーブ尻部、７は尻部に設けられたフツクで、押出しチユーブを洗面台や壁などに設けられたフツクなどの懸垂具にぶら下げる鈎状の突起である。本例の押出しチユーブはキヤツプを下にした逆さまの状態で懸垂される。不衛生になり易い洗面台などに直接置く必要が無く、またキヤツプが小さいためキヤツプ裏側に水滴が溜まる恐れも無いため衛生面の向上が図られる。さらにチユーブを自立させる必要が無いことから、キヤツプは必要最小限に小型化でき、チユーブ自体の厚さも薄くすることが可能で、押出しチユーブを構成する材料の省資源化が可能である。なおフツク７は懸垂可能なフツクであれば形状、材質を問はない。
【００１１】
図４は、請求項３記載の懸垂式押出しチユーブの１例を示す図で、正面から見た図である。１は懸垂式押出しチユーブ、２は接合部などのチユーブ尻部、６はキヤツプ、８はキヤツプに設けられたリングで、押出しチユーブを洗面台や壁などに設けられたフツクなどの懸垂具にぶら下げる環状の開口である。本例の押出しチユーブはキヤツプ６を上にした正立の状態で懸垂される。不衛生になり易い洗面台などに直接置く必要が無く、またキヤツプが小さく正立のためキヤツプ裏側に水滴が溜まる恐れも無いため衛生面の向上が図られる。さらにチユーブを自立させる必要が無いことから、キヤツプは必要最小限に小型化でき、チユーブ自体の厚さも薄くすることが可能で、押出しチユーブを構成する材料の省資源化が可能である。なおキヤツプ６に設けられたリング８は懸垂可能なリングであれば形状、材質を問はない。
【００１２】
図５は、請求項４記載の懸垂式押出しチユーブの１例を示す部分図である。１は懸垂式押出しチユーブ、６はキヤツプ、７はキヤツプに設けられたフツクで、押出しチユーブを洗面台や壁などに設けられたフツクなどの懸垂具にぶら下げる鈎状の突起である。本例の押出しチユーブはキヤツプ６を上にした正立の状態で懸垂される。不衛生になり易い洗面台などに直接置く必要が無く、またキヤツプが小さく正立のためキヤツプ背面に水滴が溜まる恐れも無いため衛生面の向上が図られる。さらにチユーブを自立させる必要が無いことから、キヤツプは必要最小限に小型化でき、チユーブ自体の厚さも薄くすることが可能で、押出しチユーブを構成する材料の省資源化が可能である。なおキヤツプ６に設けられたフツク７は懸垂可能なフツクであれば形状、材質を問はない。
【００１３】
【発明の効果】
本発明の懸垂式押出しチユーブは、洗面台や壁などに設けられたフツクなどの懸垂具にぶら下げて存置することから、不衛生になり易い洗面台などに直接置く必要が無く、またキヤツプが小さいためキヤツプ背面に水滴が溜まる恐れも無いため従来の倒立式押出しチユーブに比べ衛生面の向上が図られる。さらに、倒立式チユーブの自立のために必要な大型キヤツプを必要最小限に小型化すること、チユーブ自体の厚さを薄くすることが可能で、押出しチユーブを構成する材料を大幅に削減出来る。加えてチユーブを薄くすることで、チユーブの弾力でチユーブの内部に侵入する空気量も少なくなり、内容物の変質、硬化を抑制することが可能となる。つまり、押出しチユーブを懸垂式にする事で、衛生面の向上、さらに押出しチユーブを構成する材料の省資源化が可能である。また懸垂式と言う新しい形式の押出しチユーブは、洗面台や壁だけで無く、天井などからもぶら下げることが可能になるので、寝たきり老人など高齢化時代に対応した新たな応用が期待出来る。
【図面の簡単な説明】
【図１】請求項１記載の懸垂式押出しチユーブの１例の正面図。
【図２】開口部の形態例を示す部分図。
【図３】請求項２記載の懸垂式押出しチユーブの１例の部分図。
【図４】請求項３記載の懸垂式押出しチユーブの１例の正面図。
【図５】請求項４記載の懸垂式押出しチユーブの１例の部分図。
【符号の説明】１  …  懸垂式押出しチユーブ
２  …  尻部
３  …  胴部
４  …  肩部
５  …  開口部
６  …  キヤツプ
７  …  フツク
８  …  リング
【図１】
2004149207.tif 000003
【図２】
2004149207.tif 000004
【図３】
2004149207.tif 000005
【図４】
2004149207.tif 000006
【図５】
2004149207.tif 000007